(57)【要約】【課題】操作コードの操作により遮蔽材を操作可能な遮蔽装置を提供する。【解決手段】本発明の遮蔽装置は、分離され互いに連接可能な複数のレールユニット１０Ａ，１０Ｂを備え、複数のレールユニット１０Ａ，１０Ｂの各々は、遮蔽材７を吊下可能に構成され、且つ操作コード４の操作により遮蔽材７の開閉に伴う移送を可能とする個別の連動プーリー５，８を有し、複数のレールユニット１０Ａ，１０Ｂの各々を連接することで当該個別の連動プーリー５，８が互いに連結され、当該連結後に操作コード４の操作による一方の連動プーリー５の回転が他方の連動プーリー８に伝達するよう構成されている。【選択図】図１
2016089385.tif 000002
【特許請求の範囲】
【請求項１】
操作コードの操作により遮蔽材を操作可能な遮蔽装置であって、
分離され互いに連接可能な複数のレールユニットを備え、
前記複数のレールユニットの各々は、遮蔽材を吊下可能に構成され、且つ操作コードの操作により前記遮蔽材の開閉に伴う移送を可能とする個別の連動プーリーを有し、
前記複数のレールユニットの各々を連接することで当該個別の連動プーリーが互いに連結され、当該連結後に前記操作コードの操作による一方の連動プーリーの回転が他方の連動プーリーに伝達するよう構成されていることを特徴とする遮蔽装置。
【請求項２】
前記複数のレールユニットの各々が備える当該個別の連動プーリーは、当該遮蔽装置の上下方向、前後方向及び左右方向のいずれかにより互いに連結可能に構成されていることを特徴とする、請求項１に記載の遮蔽装置。
【請求項３】
前記複数のレールユニットの各々が備える当該個別の連動プーリーに、それぞれ平ギアが併設され、当該平ギアの各々が噛み合うことで当該一方の連動プーリーの回転が他方の連動プーリーに伝達するよう構成されていることを特徴とする、請求項１又は２に記載の遮蔽装置。
【請求項４】
前記複数のレールユニットの各々が備える当該個別の連動プーリーは、
当該一方の連動プーリーの軸部を他方の連動プーリーの軸受部に対して、直接的に、又は所定の誘導溝を経て係合させることにより、互いに連結可能に構成されていることを特徴とする、請求項１又は２に記載の遮蔽装置。
【発明の詳細な説明】
【技術分野】
【０００１】
本発明は、操作コードの操作により遮蔽材を操作可能な遮蔽装置に関する。
【背景技術】
【０００２】
操作コードの操作により遮蔽材（スラットやカーテン生地等）を操作可能な遮蔽装置の一例として、縦型ブラインドがある。縦型ブラインドは、ハンガーレール内に多数のキャリア（例えば、ランナー）が移動可能に支持され、各キャリアには吊下軸を介して遮蔽材が吊下支持される。そして、操作コードの操作により、遮蔽材をハンガーレールに沿って移送し、開閉可能としている。
【０００３】
このような縦型ブラインドにおいて、多数のキャリアにより遮蔽材を開閉可能に支持するブラインド支持部材を複数設け、各ブラインド支持部材内に設けられた駆動軸同士を連動可能に連結するための継手部を各ブラインド支持部材の隣接側端部に設け、これらの継手部を互いに分離可能とする一方で、固定状態にある一方のブラインド支持部材に対して他方のブラインド支持部材の継手部を相対移動させることで互いに係合させ、各ブラインド支持部材内の駆動軸同士を連動させるよう構成する技法が開示されている（例えば、特許文献１参照）。これにより、継手部を分離して、複数のブラインド支持部材を分離した状態とすることができ、ブラインドの梱包、輸送及び搬入を容易に行うことができるようにしている。
【０００４】
ただし、特許文献１に開示される技法では、例えば無端状の操作コードにより、連結した複数のブラインド支持部材の各キャリアを移送可能に構成する際には、各ブラインド支持部材が分離された状態で、それぞれのブラインド支持部材内の各キャリアに無端状の操作コードを予め挿通しておき、その後、分離されていたブラインド支持部材を継手部により連結するようにしている。
【先行技術文献】
【特許文献】
【０００５】
【特許文献１】特開２０１３−５３４４９号公報
【発明の概要】
【発明が解決しようとする課題】
【０００６】
前述したように、特許文献１に開示される技法では、無端状の操作コードにより、連結した複数のブラインド支持部材の各キャリアを移送可能に構成する際には、各ブラインド支持部材が分離された状態で、それぞれのブラインド支持部材内の各キャリアに無端状の操作コードを予め挿通しておき、その後、分離されていたブラインド支持部材を継手部により連結するようにしている。
【０００７】
したがって、複数のブラインド支持部材を連結してハンガーレールとして構成するときに、そのハンガーレール内で操作コードを全幅にわたってループ状に配回させるには、複数のブラインド支持部材を連結した後でなければ、天井側の取付面に固定できない事態が生じうる。このような場合、分離・連結可能な複数のブラインド支持部材とすることでブラインドの梱包、輸送及び搬入を容易化することができる一方で、その施工性に問題が生じる。
【０００８】
本発明は、上述の問題を鑑みて、操作コードの操作により遮蔽材を操作可能な遮蔽装置を提供することを目的とする。
【課題を解決するための手段】
【０００９】
本発明の遮蔽装置は、操作コードの操作により遮蔽材を操作可能な遮蔽装置であって、分離され互いに連接可能な複数のレールユニットを備え、前記複数のレールユニットの各々は、遮蔽材を吊下可能に構成され、且つ操作コードの操作により前記遮蔽材の開閉に伴う移送を可能とする個別の連動プーリーを有し、前記複数のレールユニットの各々を連接することで当該個別の連動プーリーが互いに連結され、当該連結後に前記操作コードの操作による一方の連動プーリーの回転が他方の連動プーリーに伝達するよう構成されていることを特徴とする。
【００１０】
また、本発明の遮蔽装置において、前記複数のレールユニットの各々が備える当該個別の連動プーリーは、当該遮蔽装置の上下方向、前後方向及び左右方向のいずれかにより互いに連結可能に構成されていることを特徴とする。
【００１１】
また、本発明の遮蔽装置において、前記複数のレールユニットの各々が備える当該個別の連動プーリーに、それぞれ平ギアが併設され、当該平ギアの各々が噛み合うことで当該一方の連動プーリーの回転が他方の連動プーリーに伝達するよう構成されていることを特徴とする。
【００１２】
また、本発明の遮蔽装置において、前記複数のレールユニットの各々が備える当該個別の連動プーリーは、当該一方の連動プーリーの軸部を他方の連動プーリーの軸受部に対して、直接的に、又は所定の誘導溝を経て係合させることにより、互いに連結可能に構成されていることを特徴とする。
【発明の効果】
【００１３】
本発明によれば、操作コードの操作により遮蔽材を操作可能な遮蔽装置において、その遮蔽装置の梱包、輸送及び搬入、並びに、その施工性を改善することができる。
【図面の簡単な説明】
【００１４】
【図１】本発明による第１実施形態の遮蔽装置の概略構成を示す正面断面図である。
【図２】（ａ）,（ｂ）は、それぞれ本発明による第１実施形態の遮蔽装置の概略構成を示す平面断面図と、その開閉動作を説明する正面断面図である。
【図３】（ａ）,（ｂ）は、それぞれ本発明による第２実施形態の遮蔽装置の概略構成を示す平面断面図と、その開閉動作を説明する正面断面図である。
【図４】（ａ）,（ｂ）は、それぞれ本発明による第３実施形態の遮蔽装置の概略構成を示す部分的な平面断面図と、その連動プーリーの概略構成を説明する斜視図である。
【図５】（ａ）,（ｂ）は、それぞれ本発明による第４実施形態の遮蔽装置の概略構成を示す平面断面図と、その連動プーリーの概略構成を説明する斜視図である。
【図６】（ａ）,（ｂ）は、それぞれ本発明による第５実施形態の遮蔽装置の概略構成を示す連接前の状態を示す部分的な正面断面図と、連接後の状態を示す平面断面図である。
【図７】本発明による各実施形態の遮蔽装置における操作プーリーの変形例を示す部分的な正面断面図である。
【発明を実施するための形態】
【００１５】
以下、図面を参照して、本発明による一実施形態の遮蔽装置を説明する。尚、本願明細書中、図１に示す遮蔽装置の正面断面図に対して、図示上方及び図示下方を遮蔽材の吊り下げ方向に準じてそれぞれ上方向（又は上側）及び下方向（又は下側）と定義し、図示左方向を遮蔽装置の左側、及び、図示右方向を遮蔽装置の右側とし、図示前方向を遮蔽装置の室内側（又は前側）、及び、図示後方向を遮蔽装置の室外側（又は後側）と定義して説明する。例えば、遮蔽装置の前後方向と称するときは、図１の正面断面図における図示面に対して垂直な方向を云う。
【００１６】
（第１実施形態）
まず、図１及び図２を参照して、本発明による第１実施形態の遮蔽装置について説明する。図１は、本発明による第１実施形態の遮蔽装置の概略構成を示す正面断面図である。図２（ａ）,（ｂ）は、それぞれ本発明による第１実施形態の遮蔽装置の概略構成を示す平面断面図と、その開閉動作を説明する正面断面図である。
【００１７】
図１及び図２に示す遮蔽装置は、分離され互いに連接可能な第１レールユニット１０Ａのレール部１Ａ及び第２レールユニット１０Ｂのレール部１Ｂから、遮蔽装置全体のハンガーレールが構成される。
【００１８】
まず、第１レールユニット１０Ａ内には多数のキャリア（例えば、ランナー）２が移動可能に支持され、この多数のキャリア２の各吊下軸を介して遮蔽材（スラットやカーテン生地等）７が吊下支持される。先頭に位置する先頭キャリア３を含む各キャリア２は、図示しないスペーサーで連結されている。また、第１レールユニット１０Ａ内にて、その左端側に第１連動プーリー５が配設され、その右端側に、２つの操作プーリー６Ｆ（室内側）及び操作プーリー６Ｒ（室外側）が配設されている。
【００１９】
そして、第１連動プーリー５、及び２つの操作プーリー６Ｆ，６Ｒを介して無端状の操作コード４が周回可能に配設され、この無端状の操作コード４は、操作プーリー６Ｆ，６Ｒから垂下される。尚、操作プーリー６Ｆ，６Ｒから垂下される操作コード４に所定の錘部材を付加するなどして、第１連動プーリー５と２つの操作プーリー６Ｆ，６Ｒとの間で係回する操作コード４に対して所定のテンションが得られるよう構成し、遮蔽材７の開閉操作を安定化させるのが好適である。
【００２０】
この多数のキャリア２のうち、先頭キャリア３は、第１連動プーリー５と操作プーリー６Ｒとの間に配設される操作コード４に対して係止部３ａで係止されている。
【００２１】
そして、操作コード４の操作により、遮蔽材７を第１レールユニット１０Ａ内に沿って移送し、開閉可能としている。
【００２２】
より具体的には、各キャリア２は図示しないスペーサーで連結されているため、図１及び図２において、先頭キャリア３が第１レールユニット１０Ａの左端側へ移送されると、後続のキャリア２が当該スペーサーを介して等間隔を隔てて順次引き出されて、遮蔽材７が第１レールユニット１０Ａの左端側へ引き出される。
【００２３】
また、先頭キャリア３が第１レールユニット１０Ａの右端側へ移送されると、後続のキャリア２が先頭キャリア３により順次第１レールユニット１０Ａの右端側へ押し戻されて、遮蔽材７が第１レールユニット１０Ａの右端側へ畳み込まれる。
【００２４】
このようにして、操作コード４の操作により、遮蔽材７を第１レールユニット１０Ａ内に沿って移送し、開閉可能としている。
【００２５】
尚、第１連動プーリー５は、操作コード４の移動に伴って回転するよう構成されており、第１連動プーリー５の軸部５ａは、第１レールユニット１０Ａの左端側に設けられた係合用開口部１５から突出している。
【００２６】
一方、第２レールユニット１０Ｂ内にも多数のキャリア（例えば、ランナー）１２が移動可能に支持され、この多数のキャリア１２の各吊下軸を介して遮蔽材７が吊下支持される。先頭に位置する先頭キャリア１３を含む各キャリア１２は、図示しないスペーサーで連結されている。また、第２レールユニット１０Ｂ内にて、その左端側に転向プーリー９が配設され、その右端側に、第２連動プーリー８が配設されている。
【００２７】
そして、第２連動プーリー８、及び転向プーリー９を介して無端状の移送コード１１が周回可能に配設される。
【００２８】
この多数のキャリア１２のうち、先頭キャリア１３は、第２連動プーリー８と転向プーリー９との間に配設される室内側の移送コード１１に対して係止部１３ａで係止されている。
【００２９】
そして、無端状の移送コード１１が移動すると、遮蔽材７を第２レールユニット１０Ｂ内に沿って移送し、開閉可能としている。
【００３０】
より具体的には、各キャリア１２は図示しないスペーサーで連結されているため、図１及び図２において、先頭キャリア１３が第２レールユニット１０Ｂの右端側へ移送されると、後続のキャリア１２が当該スペーサーを介して等間隔を隔てて順次引き出されて、遮蔽材７が第２レールユニット１０Ｂの右端側へ引き出される。
【００３１】
また、先頭キャリア１３が第２レールユニット１０Ｂの左端側へ移送されると、後続のキャリア１２が先頭キャリア１３により順次第２レールユニット１０Ｂの左端側へ押し戻されて、遮蔽材７が第２レールユニット１０Ｂの左端側へ畳み込まれる。
【００３２】
このようにして、無端状の移送コード１１の移動により、遮蔽材７を第２レールユニット１０Ｂ内に沿って移送し、開閉可能としている。
【００３３】
尚、第２連動プーリー８は、移送コード１１の移動に伴って回転するよう構成されており、第２連動プーリー８の中心軸は、第１連動プーリー５の軸部５ａと連動して回転可能とする軸受部８ａが形成されている。そして、第２レールユニット１０Ｂの右端側に設けられた係合用開口部１６は、第１レールユニット１０Ａの左端側に設けられた係合用開口部１５と嵌脱可能に構成されている。したがって、第２レールユニット１０Ｂの係合用開口部１６を第１レールユニット１０Ａの係合用開口部１５と係合させた際には、第１連動プーリー５の軸部５ａと第２連動プーリー８の軸受部８ａが係合し、第１連動プーリー５の回転が第２連動プーリー８へと伝達されるようになっている。
【００３４】
これにより、第２レールユニット１０Ｂの係合用開口部１６を第１レールユニット１０Ａの係合用開口部１５と係合させ、一体化させた際には、操作コード４の操作により、遮蔽材７を第１レールユニット１０Ａ内に沿って移送させるととともに、第１連動プーリー５の回転を第２連動プーリー８に伝達させ、移送コード１１の移動により、遮蔽材７を第２レールユニット１０Ｂ内に沿って移送することができる（図２（ｂ）参照）。
【００３５】
このように、本実施形態の遮蔽装置では、第１レールユニット１０Ａと第２レールユニット１０Ｂとを完全に独立させることで、その遮蔽装置の梱包、輸送及び搬入を容易にすることができる。更に、例えば、第１レールユニット１０Ａを天井側の取付面に固定した後、完全に分離された第２レールユニット１０Ｂを第１レールユニット１０Ａに連接させて当該取付面に固定することができ、その施工性を従来技法よりも向上させることができる。
【００３６】
（第２実施形態）
次に、図３を参照して、本発明による第２実施形態の遮蔽装置について説明する。図３（ａ）,（ｂ）は、それぞれ本発明による第２実施形態の遮蔽装置の概略構成を示す平面断面図と、その開閉動作を説明する正面断面図である。第２実施形態の遮蔽装置は、第１実施形態とほぼ同様の構成要素で実現することができ、同様な構成要素には同一の参照番号を付している。
【００３７】
即ち、第２実施形態の遮蔽装置は、先頭キャリア３が多数のキャリア２のうち右端側に設けられ、第１連動プーリー５と操作プーリー６Ｒとの間に配設される操作コード４に対して係止部３ａで係止され、先頭キャリア１３が多数のキャリア１２のうち左端側に設けられ、第２連動プーリー８と転向プーリー９との間に配設される室内側の移送コード１１に対して係止部１３ａで係止されている点を除き、第１実施形態の遮蔽装置と同様に構成される。
【００３８】
したがって、各キャリア２は図示しないスペーサーで連結されているため、図３において、先頭キャリア３が第１レールユニット１０Ａの右端側へ移送されると、後続のキャリア２が当該スペーサーを介して等間隔を隔てて順次引き出されて、遮蔽材７が第１レールユニット１０Ａの右端側へ引き出される。
【００３９】
また、先頭キャリア３が第１レールユニット１０Ａの左端側へ移送されると、後続のキャリア２が先頭キャリア３により順次第１レールユニット１０Ａの左端側へ押し戻されて、遮蔽材７が第１レールユニット１０Ａの左端側へ畳み込まれる。
【００４０】
また、各キャリア１２も図示しないスペーサーで連結されているため、図３において、先頭キャリア１３が第２レールユニット１０Ｂの左端側へ移送されると、後続のキャリア１２が当該スペーサーを介して等間隔を隔てて順次引き出されて、遮蔽材７が第２レールユニット１０Ｂの左端側へ引き出される。
【００４１】
そして、先頭キャリア１３が第２レールユニット１０Ｂの右端側へ移送されると、後続のキャリア１２が先頭キャリア１３により順次第２レールユニット１０Ｂの右端側へ押し戻されて、遮蔽材７が第２レールユニット１０Ｂの右端側へ畳み込まれる。
【００４２】
このように、先頭キャリア３，１３の配置や、係止部３ａ，１３ａの位置で、遮蔽材７の開閉動作を変更することができる。そして、本実施形態の遮蔽装置においても、第１レールユニット１０Ａと第２レールユニット１０Ｂとを完全に独立させることで、その遮蔽装置の梱包、輸送及び搬入を容易にすることができる。更に、例えば、第１レールユニット１０Ａを天井側の取付面に固定した後、完全に分離された第２レールユニット１０Ｂを第１レールユニット１０Ａに連接させて当該取付面に固定することができ、その施工性を従来技法よりも向上させることができる。
【００４３】
（第３実施形態）
次に、図４を参照して、本発明による第３実施形態の遮蔽装置について説明する。図４（ａ）,（ｂ）は、それぞれ本発明による第３実施形態の遮蔽装置の概略構成を示す部分的な平面断面図と、連動プーリーの概略構成を説明する斜視図である。第３実施形態の遮蔽装置は、第１実施形態とほぼ同様の構成要素で実現することができ、同様な構成要素には同一の参照番号を付している。
【００４４】
即ち、第３実施形態の遮蔽装置は、第１実施形態の遮蔽装置とは相違して、第１連動プーリー５と第２連動プーリー８とを上下方向で着脱可能に配置する代わりに、前後方向で着脱可能に配置する例である。そして、第２レールユニット１０Ｂの右端側に設けられた係合用開口部１６、及び第１レールユニット１０Ａの左端側に設けられた係合用開口部１５も前後方向で嵌脱可能に構成されている。
【００４５】
このように構成した場合も第１実施形態の遮蔽装置と同様の作用・効果を得ることができ、したがって、第１レールユニット１０Ａ及び第２レールユニット１０Ｂの係合方向は上下・前後を問わずに構成することができる。
【００４６】
（第４実施形態）
次に、図５を参照して、本発明による第４実施形態の遮蔽装置について説明する。図５（ａ）,（ｂ）は、それぞれ本発明による第４実施形態の遮蔽装置の概略構成を示す部分的な平面断面図と、連動プーリーの概略構成を説明する斜視図である。第４実施形態の遮蔽装置は、連動プーリーの構造を除き、第１実施形態とほぼ同様の構成要素で実現することができ、同様な構成要素には同一の参照番号を付している。
【００４７】
即ち、第４実施形態の遮蔽装置は、第１実施形態の遮蔽装置とは相違して、第１連動プーリー５と第２連動プーリー８とを上下方向で着脱可能に配置する代わりに、左右方向で着脱可能に配置する例である。そして、第２レールユニット１０Ｂの右端側に設けられた係合用開口部１６、及び第１レールユニット１０Ａの左端側に設けられた係合用開口部１５も左右方向で嵌脱可能に構成されている。例えば、図５（ｂ）に示すように、第２連動プーリー８の軸受部８ａを略円筒状の周壁における中心軸孔として形成しておき、該周壁の側面から第１連動プーリー５の軸部５ａを誘導可能な誘導溝８ｂを形成する。これにより、第１連動プーリー５と第２連動プーリー８とを左右方向で着脱可能にすることができる。
【００４８】
このように構成した場合も第１実施形態の遮蔽装置と同様の作用・効果を得ることができ、したがって、第１レールユニット１０Ａ及び第２レールユニット１０Ｂの係合方向は上下・前後・左右を問わずに構成することができる。
【００４９】
（第５実施形態）
次に、図６を参照して、本発明による第５実施形態の遮蔽装置について説明する。図６（ａ）,（ｂ）は、それぞれ本発明による第５実施形態の遮蔽装置の概略構成を示す連接前の状態を示す部分的な正面断面図と、連接後の状態を示す平面断面図である。第５実施形態の遮蔽装置は、連動プーリーの構造を除き、第１実施形態とほぼ同様の構成要素で実現することができ、同様な構成要素には同一の参照番号を付している。
【００５０】
即ち、第５実施形態の遮蔽装置は、第１実施形態の遮蔽装置とは相違して、第１連動プーリー５に併設して平ギア２１が設けられ、第２連動プーリー８と併設して平ギア２２が設けられる。平ギア２１は第１連動プーリー５の回転に連動して回転し、平ギア２２は第２連動プーリー８の回転に連動して回転するよう構成されている。そして、第１レールユニット１０Ａの左端壁及び第２レールユニット１０Ｂの右端壁に、平ギア２１，２２の各噛合部が突出するよう開口部１７，１８が設けられており、第１レールユニット１０Ａの左端壁と第２レールユニット１０Ｂの右端壁が当接する程度に近接配置させた状態で、平ギア２１，２２の各噛合部が互いに噛み合うように構成されている。
【００５１】
このように構成した場合には、構造的な変更を伴うことなく、第１レールユニット１０Ａ及び第２レールユニット１０Ｂの係合方向は上下・前後・左右を問わずに設置することができ、第１実施形態の遮蔽装置と同様の作用・効果を得ることができる。
【００５２】
以上、特定の実施形態の例を挙げて本発明を説明したが、本発明は前述の実施形態の例に限定されるものではなく、その技術思想を逸脱しない範囲で種々変形可能である。例えば、第１レールユニット１０Ａに特定の形態の第１連動プーリー５を設け、第２レールユニット１０Ｂに特定の形態の第２連動プーリー８を設ける例を説明したが、第１連動プーリー５及び第２連動プーリー８を入れ替えて構成してもよい。
【００５３】
また、第１レールユニット１０Ａに設けた操作コード４による操作機構は、様々な変形例が考えられる。例えば、本発明による各実施形態の遮蔽装置における操作プーリー６Ｆ，６Ｒの変形例を図７に示す。図７に示す例では、操作コード４による操作機構として、第１レールユニット１０Ａの一端部側に、ギア機構（ギア部６１，６２）により連動可能な操作プーリー６Ａ，６Ｂが設けられている。図１等に示す第１連動プーリー５と操作プーリー６Ａとの間は、第２レールユニット１０Ｂの場合と同様に、移送コード４１を周回可能に配設させ、多数のキャリア２のうち先頭キャリア３をこの移送コード４１に対して係止する。つまり、操作プーリー６Ａが回転すると移送コード４１も移動するようになっている。操作プーリー６Ａの下面にはギア部６１が一体的に設けられ、このギア部６１と噛み合うギア部６２は操作プーリー６Ｂに一体的に設けられる。この操作プーリー６Ｂに無端状の操作コード４が掛装され、第１レールユニット１０Ａから垂下される。そして、この操作コード４を操作すると操作プーリー６Ｂが回転し、この回転がギア機構（ギア部６１，６２）を介して操作プーリー６Ａに伝達される。したがって、操作コード４を操作することで、遮蔽材７は第１レールユニット１０Ａ内に沿って移送され、開閉可能となる。このように構成することで、当該第１連動プーリー５と操作プーリー６Ａとの間で係回する移送コード４１に対して所定のテンションが得られ、遮蔽材７の開閉操作を安定化させることができる。
【００５４】
尚、本発明の作用・効果が得られる限りにおいて、各実施形態における操作コード４は、紐状でもボールチェーンでもよく、更には無端状でなくともよい。
【００５５】
そして、本発明に係る遮蔽装置は、例えばスラットを移送する縦型ブライドや、操作コードでカーテン生地を移送するカーテンレールとして構成することができる。
【産業上の利用可能性】
【００５６】
本発明によれば、遮蔽装置の梱包、輸送及び搬入、並びに、その施工性を改善することができるので、遮蔽装置の用途に有用である。
【符号の説明】
【００５７】
１Ａ  第１レールユニットのレール部
１Ｂ  第２レールユニットのレール部
２  第１レールユニット内のキャリア
３  第１レールユニット内の先頭キャリア
３ａ  先頭キャリアの係止部
４  操作コード
５  第１連動プーリー
５ａ  第１連動プーリーの軸部
６Ａ，６Ｂ  操作プーリー
６Ｆ，６Ｒ  操作プーリー
７  遮蔽材
８  第２連動プーリー
８ａ  第２連動プーリーの軸受部
８ｂ  第２連動プーリーの誘導溝
９  転向プーリー
１０Ａ  第１レールユニット
１０Ｂ  第２レールユニット
１１  移送コード
１２  第２レールユニット内のキャリア
１３  第２レールユニット内の先頭キャリア
１３ａ  先頭キャリアの係止部
１５，１６  係合用開口部
１７，１８  平ギア用の開口部
２１，２２  平ギア
４１  移送コード
６１，６２  ギア機構のギア部
【図１】
2016089385.tif 000003
【図２】
2016089385.tif 000004
【図３】
2016089385.tif 000005
【図４】
2016089385.tif 000006
【図５】
2016089385.tif 000007
【図６】
2016089385.tif 000008
【図７】
2016089385.tif 000009